(57)【要約】【課題】排紙部の開口部から内部機構への異物の侵入を防止することができる画像形成装置を提供する。【解決手段】画像が形成された記録媒体を搬送して排出する排出手段と、前記記録媒体を排出する開口部と、前記開口部に設けられ、前記排出手段を遮蔽する遮蔽部材と、を備え、前記遮蔽部材が、揺動可能に支持され前記排出手段の軸方向に複数設けられた揺動部材と、排出された前記記録媒体の前記排出手段側への戻りを規制する壁体に設けられた遮蔽板と、からなる。【選択図】図２
2014077942.tif 000002
【特許請求の範囲】
【請求項１】
画像が形成された記録媒体を搬送して排出する排出手段と、
前記記録媒体を排出する開口部と、
前記開口部に設けられ、前記排出手段を遮蔽する遮蔽部材と、を備え、
前記遮蔽部材が、揺動可能に支持され前記排出手段の軸方向に複数設けられた揺動部材と、排出された前記記録媒体の前記排出手段側への戻りを規制する壁体に設けられた遮蔽板と、からなる、
ことを特徴とする画像形成装置。
【請求項２】
前記排出手段は、少なくとも回転駆動される回転軸と回転軸に支持された複数のローラから構成される駆動ローラを備え、
前記複数の揺動部材を前記駆動ローラの前記回転軸に揺動可能に係止した、
ことを特徴とする請求項１に記載の画像形成装置。
【請求項３】
前記揺動部材は前記排出手段により排出される前記記録媒体に押されて揺動し、前記記憶媒体に押されて揺動する前であって自重により静止しているときに、その先端が前記遮蔽板に覆われる、
ことを特徴とする請求項１又は２に記載の画像形成装置。
【請求項４】
前記揺動部材が、導電性材料で構成されている、
ことを特徴とする請求項１ないし３のいずれか１項に記載の画像形成装置。
【発明の詳細な説明】
【技術分野】
【０００１】
本発明は、画像形成装置に関する。
【背景技術】
【０００２】
給紙又は排紙をするための開口部と、該開口部に設けられ、給紙又は排紙をするための給紙手段又は排紙手段と、該給紙手段又は排紙手段を遮蔽する遮蔽カバーと、該遮蔽カバーの開閉を行う遮蔽カバー制御手段とを有する画像形成装置が知られている（特許文献１）。
【先行技術文献】
【特許文献】
【０００３】
【特許文献１】特開２００５−７５５６５号公報
【発明の概要】
【発明が解決しようとする課題】
【０００４】
本発明は、排紙部の開口部から内部機構への異物の侵入を防止することができる画像形成装置を提供することを目的とする。
【課題を解決するための手段】
【０００５】
前記課題を解決するために、請求項１に記載の画像形成装置は、
画像が形成された記録媒体を搬送して排出する排出手段と、
前記記録媒体を排出する開口部と、
前記開口部に設けられ、前記排出手段を遮蔽する遮蔽部材と、を備え、
前記遮蔽部材が、揺動可能に支持され前記排出手段の軸方向に複数設けられた揺動部材と、排出された前記記録媒体の前記排出手段側への戻りを規制する壁体に設けられた遮蔽板と、からなる、
ことを特徴とする。
【０００６】
請求項２記載の発明は、請求項１に記載の画像形成装置において、
前記排出手段は、少なくとも回転駆動される回転軸と回転軸に支持された複数のローラから構成される駆動ローラを備え、
前記複数の揺動部材を前記駆動ローラの前記回転軸に揺動可能に係止した、
ことを特徴とする。
【０００７】
請求項３記載の発明は、請求項１又は２に記載の画像形成装置において、
前記揺動部材は前記排出手段により排出される前記記録媒体に押されて揺動し、前記記録媒体に押されて揺動する前であって自重により静止しているときに、その先端が前記遮蔽板に覆われる、
ことを特徴とする。
【０００８】
請求項４記載の発明は、請求項１ないし３のいずれか１項に記載の画像形成装置において、
前記揺動部材が、導電性材料で構成されている、
ことを特徴とする。
【発明の効果】
【０００９】
請求項１及び請求項３に記載の発明によれば、排紙部の開口部から内部機構への異物の侵入を防止することができる。
請求項２に記載の発明によれば、本構成を有しない場合に比して、遮蔽部材を容易に着脱できる。
請求項４に記載の発明によれば、排出される記録媒体を除電して、排紙トレイ上で良好に用紙積載することができる。
【図面の簡単な説明】
【００１０】
【図１】画像形成装置１の内部構成を示す断面模式図である。
【図２】画像形成装置１の排紙部を構成する排紙装置の排出側に視点を置いた排出動作停止状態（フラップ閉状態）の斜視図である。
【図３】画像形成装置１の排紙部を構成する排紙装置の排出側に視点を置いた排出動作状態（フラップ開状態）の斜視図である。
【図４】複数種のフラップ７３Ｂ、７３Ｃ、７３Ｄ、７３Ｅの斜視図である。
【図５】フラップ７３Ｂ、７３Ｃ、７３Ｄ、７３Ｅと排出ローラ対７２とのオーバーラップ状態を説明するための縦断面模式図である。
【図６】画像形成装置１の排紙部を構成する排紙装置の縦断面模式図である。
【図７】排出ローラ対によって用紙Ｐに形成されるコルゲーションを説明するための模式図である。
【図８】比較例の画像形成装置１００における排紙部の排紙側に視点を置いた斜視図である。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１２】
（１）画像形成装置の全体構成及び動作
「第１実施形態」
図１は本実施形態に係る画像形成装置１の内部構成を示す断面模式図である。
以下、図面を参照しながら、画像形成装置１の全体構成及び動作を説明する。
【００１３】
画像形成装置１は、制御装置１０、給紙装置２０、感光体ユニット３０、現像装置４０、転写装置５０、定着装置６０、排紙装置７０、とを備えて構成されている。画像形成装置１の上面（Ｚ方向）には、画像が記録された用紙が排出・収容される排出トレイ１ａが形成されている。
【００１４】
制御装置１０は、画像形成装置１の動作を制御するコントローラ１１と、コントローラ１１により作動を制御される画像処理部１２、電源装置１３等を有する。電源装置１３は、後述する帯電ローラ３２、現像ローラ４２、一次転写ローラ５２、二次転写ローラ５３等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１５】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１６】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００１７】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００１８】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００１９】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、とから構成されている。
【００２０】
各感光体ユニット３０の感光体ドラム３１に形成された各色トナー像は、コントローラ１１により制御される電源装置１３等から所定の転写電圧が印加された一次転写ローラ５２により中間転写ベルト５１上に順次静電転写（一次転写）され、各色トナーが重畳された重畳トナー像が形成される。
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、コントローラ１１により制御される電源装置１３等から所定の転写電圧が印加され、レジストローラ対２３から送り出され、搬送ガイドにより案内された用紙Ｐに中間転写ベルト５１上の多重トナー像が一括転写される。
【００２１】
感光体ドラム３１表面の残留トナーは、クリーニングブレード３４により除去され、廃トナー収容部（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２２】
定着装置６０は一方向へ回転する無端状の定着ベルト６１と、定着ベルト６１の周面に接し、一方向へ回転する加圧ローラ６２と、を有し、定着ベルト６１と加圧ローラ６２の圧接領域によってニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の定着ベルト６１と加圧ローラ６２により、圧着と加熱の作用でトナー像が定着される。
定着トナー像が形成された用紙Ｐは、排紙装置７０に配設された搬送ガイド７１ａ、７１ｂによってガイドされ、排出ローラ対７２から画像形成装置１上面の排出トレイ１ａに排出される。
【００２３】
（２）排紙装置の構成と動作
図２は本実施形態に係る画像形成装置１の排紙部を構成する排紙装置７０の排出側に視点を置いた排紙動作停止状態（フラップ閉状態）の斜視図、図３は排紙動作状態（フラップ開状態）の斜視図、図８は比較例の画像形成装置１００における排紙部の排紙側に視点を置いた斜視図である。
【００２４】
（２．１）比較例の排紙装置
本実施形態に係る排紙装置７０の構成を説明する前に、排紙部の開口部に遮蔽部材が設けられていない比較例の画像形成装置１００の問題点について説明する。
画像形成装置１００において、使用者は画像形成装置正面の一面側から、排出トレイ１００ａ上に排出され積載されたトナー像が形成された用紙Ｐを取り出すことができる。
一方、定着装置（不図示；図１と同様）でトナー像が定着された用紙を排出ローラ対７２０で排出トレイ１００ａ上に排出するために、排紙装置７００には開口部が設けられている。
【００２５】
排出ローラ対７２０は、回転駆動される駆動ローラ７２１、駆動ローラ７２１に回転自在に圧接されたピンチローラ７２２、ピンチローラ７２２の間に回転自在に設けられたコルゲーションローラ７２３、とからなり、排出ローラ対７２０が回転駆動することにより用紙Ｐが排出トレイ１００ａ上に排出される。
【００２６】
尚、図７に模式的に示すように、排出ローラ対７２０は排出される用紙Ｐの腰を強くし、排紙された用紙の走行安定性を向上させるために、用紙Ｐの排紙方向に沿って用紙Ｐに上下方向のくぼみを複数個形成するコルゲーション部を有している。
具体的には、ピンチローラ７２２の間に設けられたコルゲーションローラ７２３の中央部の外径をピンチローラ７２２より大径とすることで、用紙Ｐを排紙する際に排紙方向と直交する方向に波打たせて、用紙Ｐのコシを強くする。
【００２７】
そのために、排紙装置７００の開口部は、用紙Ｐに形成される上下方向の波打ち部が開口部の上下端に接触しない程度に解放されている。係る開口部は、排紙動作中のみならず常時解放されているために、開口部から異物が侵入して、定着装置６０等の内部装置を損傷したり、紙詰りが発生したりする虞がある。
【００２８】
（２．２）実施形態の排紙装置
本実施形態に係る排紙装置７０は、定着装置６０でトナー像が定着された用紙Ｐを排出ローラ対７２へ導く搬送ガイド７１ａ、７１ｂと、駆動源（不図示）によって回転駆動される排出ローラ対７２と、遮蔽カバー７３とからなる。
【００２９】
（２．２．１）排出ローラ対
排出ローラ対７２は、駆動ローラ７２Ａと、排紙ローラ７２Ｂとからなり、定着装置６０によりトナー像が定着された用紙Ｐを、用紙Ｐの幅方向断面を波形に変形させながら機外に送り出す。
【００３０】
駆動ローラ７２Ａは、用紙Ｐの幅方向に延出するシャフト７２Ａｂと、用紙の幅方向に間隔をおいて配置された複数の円柱状の個別ローラ７２Ａａ、７２Ａａ、・・・とで構成されている。シャフト７２Ａｂは、排紙装置７０の側板に回転可能に支持されており、モータ等の駆動源（不図示）によって回転駆動する。
【００３１】
排紙ローラ７２Ｂは、個別ローラ７２Ａａ、７２Ａａ、・・・に回転自在に圧接されたピンチローラ７２Ｂａ、７２Ｂａと、ピンチローラ７２Ｂａ、７２Ｂａとの間に回転自在に配置されたコルゲーションローラ７２Ｂｂとから構成されている。
コルゲーションローラ７２Ｂｂの外径は、中央部がピンチローラ７２Ｂａよりも大径とされ、用紙Ｐの幅方向と直交する方向からみたときに、個別ローラ７２Ａａ、７２Ａａとピンチローラ７２Ｂａ、７２Ｂａとのそれぞれのニップ部との間で用紙Ｐにコルゲーション（波打ち）を形成する。
排紙ローラ７２Ｂは、駆動ローラ７２Ａの下側で、駆動ローラ７２Ａに対向して対をなして配置され、排出ローラ対７２を構成する。
【００３２】
（２・３）遮蔽カバー
遮蔽カバー７３は、先端部カバー７３Ａと揺動部材の一例としての複数種のフラップ７３Ｂ、７３Ｃ、７３Ｄ、７３Ｅで構成され、排出ローラ対７２の排出側（外側）で排出動作停止中には、排出ローラ対７２を覆うように配設されている。
【００３３】
先端部カバー７３Ａは、排出ローラ対７２の排出側の下方（−Ｚ方向）で、排出トレイ１ａと一体に形成され、排出される用紙の排出ローラ対７２側への戻りを規制する壁体１ｂに固定されて設けられている。
複数種のフラップ７３Ｂ、７３Ｃ、７３Ｄ、７３Ｅは、排出ローラ対７２の排出側の上方（Ｚ方向）で、駆動ローラ７２Ａのシャフト７２Ａｂを中心として揺動可能に設けられている。
【００３４】
（２．３．１）フラップ
図４は複数種のフラップ７３Ｂ、７３Ｃ、７３Ｄ、７３Ｅの斜視図、図５は、フラップ７３Ｂ、７３Ｃ、７３Ｄ、７３Ｅと排出ローラ対７２とのオーバーラップ状態を説明するための縦断面模式図である。
図４に示すように、フラップ７３Ｂ、７３Ｃ、７３Ｄ、７３Ｅは、一部切欠き部を有する円筒部７３Ｂａ、７３Ｃａ、７３Ｄａ、７３Ｅａと、それぞれの円筒部７３Ｂａ、７３Ｃａ、７３Ｄａ、７３Ｅａの外側に形成された板状のフラップ部７３Ｂｂ、７３Ｃｂ、７３Ｄｂ、７３Ｅｂとからなる。
【００３５】
それぞれの一群のフラップ７３Ｂ、７３Ｃ、７３Ｄ、７３Ｅは、排出ローラ対７２のシャフト７２Ａｂと先端部カバー７３Ａとの両端開口部、個別ローラ７２Ａａとピンチローラ７２Ｂａとのニップ部、シャフト７２Ａｂとコルゲーションローラ７２Ｂｂとの開口部、シャフト７２Ａｂと先端部カバー７３Ａとの中央開口部に合わせて、そのフラップ部７３Ｂｂ、７３Ｃｂ、７３Ｄｂ、７３Ｅｂが形成されている。
【００３６】
フラップ７３Ｂ、７３Ｃ、７３Ｄ、７３Ｅは、それぞれの円筒部７３Ｂａ、７３Ｃａ、７３Ｄａ、７３Ｅａが、図４に示すように断面形状が一部切欠き部Ｃを有し、係る切欠き部Ｃを弾性変形させながら、駆動ローラ７２Ａのシャフト７２Ａｂにスナップフィットで係止することで、駆動ローラ７２Ａの回転軸を中心に揺動可能に設けられる。
【００３７】
フラップ７３Ｂは、駆動ローラ７２Ａのシャフト７２Ａｂに対向して設けられ、排紙動作停止中は、先端部カバー７３Ａの先端部Ｓ２とオーバーラップ状態となり、駆動ローラ７２Ａのシャフト７２Ａｂ下方の開口部を遮蔽する（図５（ａ）参照）。
【００３８】
フラップ７３Ｃは、駆動ローラ７２Ａの個別ローラ７２Ａａ、７２Ａａとピンチローラ７２Ｂａ、７２Ｂａとのニップ部に対向して設けられ、排紙動作停止中は、先端部カバー７３Ａの先端部Ｓとオーバーラップ状態となり、駆動ローラ７２Ａの個別ローラ７２Ａａ、７２Ａａとピンチローラ７２Ｂａ、７２Ｂａとのニップ部の開口部を遮蔽する（図５（ｂ）参照）。
【００３９】
フラップ７３Ｄは、コルゲーションローラ７２Ｂｂに対向して設けられ、排紙動作停止中は、先端部カバー７３Ａの先端部Ｓとオーバーラップ状態となり、駆動ローラ７２Ａのシャフト７２Ａｂとコルゲーションローラ７２Ｂｂとの開口部を遮蔽する（図５（ｃ）参照）。
【００４０】
フラップ７３Ｅは、駆動ローラ７２Ａのシャフト７２Ａｂに対向して設けられ、排紙動作停止中は、先端部カバー７３Ａの先端部Ｓとオーバーラップ状態となり、駆動ローラ７２Ａのシャフト７２Ａｂ下方の開口部を遮蔽する（図５（ｄ）参照）。
【００４１】
排紙動作中は、それぞれのフラップ７３Ｂ、７３Ｃ、７３Ｄ、７３Ｅは、駆動ローラ７２Ａのシャフト７２Ａｂを中心に揺動自在に設けられているために、用紙Ｐの先端で押し上げられて、先端部カバー７３Ａの先端部Ｓとの間で用紙Ｐのコルゲーション形状に応じた開口が形成される。
すなわち、フラップ７３Ｂ、７３Ｃ、７３Ｄ、７３Ｅは、排出ローラ対７２を構成する駆動ローラ７２Ａのシャフト７２Ａｂ、個別ローラ７２Ａａ、コルゲーションローラ７２Ｂｂに対応した位置で、それぞれの開口部形状に対応して分割配置されているために、用紙Ｐのフラップ７３Ｂ、７３Ｃ、７３Ｄ、７３Ｅへの突入抵抗を抑制して、排出ローラ対７２で形成される用紙Ｐの腰を維持したまま排出することができる。
【００４２】
排紙動作停止中において、用紙Ｐの幅方向と直交する方向からみたときに、フラップ７３Ｂ、７３Ｃ、７３Ｄ、７３Ｅの先端部Ｓ１と先端部カバー７３Ａの先端部Ｓ２とはオーバーラップ状態となり、それぞれのフラップ７３Ｂ、７３Ｃ、７３Ｄ、７３Ｅの先端部Ｓ１と先端部カバー７３Ａの先端部Ｓ２と間隙Ｒ（図５（ａ）参照）は、５ｍｍ以下に形成されている。
そのために、開口部からの異物の侵入を抑制し、定着装置６０等の内部装置が損傷したり、紙詰りが発生したりすることを防止することができる。
【００４３】
フラップ７３Ｂ、７３Ｃ、７３Ｄ、７３Ｅの材料は、特に限定されるものではないが、例えば、導電性樹脂を用いて、円筒部７３Ｂａ、７３Ｃａ、７３Ｄａ、７３Ｅａと板状のフラップ部７３Ｂｂ、７３Ｃｂ、７３Ｄｂ、７３Ｅｂとを射出成形によって一体として形成することができる。
駆動ローラ７２Ａのシャフト７２Ａｂが金属で形成され、円筒部７３Ｂａ、７３Ｃａ、７３Ｄａ、７３Ｅａがスナップフィットで揺動可能に係止されることで、排出される用紙Ｐが帯電されていても、フラップ７３Ｂ、７３Ｃ、７３Ｄ、７３Ｅを介して、用紙Ｐを除電しながら排出トレイ１ａ上で良好に用紙積載することができる。
【００４４】
（３）作用
図６は排紙装置７０の縦断面模式図である。
本実施形態に係る排紙装置７０は、図中の矢印で示すように、定着装置６０でトナー像が定着された用紙Ｐを、排出ローラ対７２を介して排出トレイ１ａ上へ排出する。そして、排紙動作停止状態（フラップ閉状態）では、排紙装置７０の開口部の上方側は、排出側から排出ローラ対７２に対向して、排出ローラ対７２を覆う複数種の一群のフラップ７３Ｂ、７３Ｃ、７３Ｄ、７３Ｅで覆われている。
排紙装置７０の開口部の下方側は、先端部カバー７３Ａが、排出トレイ１ａと一体に形成され、排出される用紙の排出ローラ対７２側への戻りを規制する壁体１ｂに固定されて設けられている。
【００４５】
そのために、用紙Ｐの幅方向と直交する方向からみたときに、フラップ７３Ｂ、７３Ｃ、７３Ｄ、７３Ｅの先端部Ｓ１と先端部カバー７３Ａの先端部Ｓ２とはオーバーラップ状態となり、開口部からの異物の侵入を抑制し、定着装置６０等の内部装置が損傷したり、紙詰りが発生したりすることを防止することができる。
【００４６】
排出ローラ対７２を覆う複数種の一群のフラップ７３Ｂ、７３Ｃ、７３Ｄ、７３Ｅは、排出ローラ対７２を構成する駆動ローラ７２Ａのシャフト７２Ａｂ、個別ローラ７２Ａａ、コルゲーションローラ７２Ｂｂに対応した位置で、それぞれの形状に対応して分割配置されている。
また、一群のフラップ７３Ｂ、７３Ｃ、７３Ｄ、７３Ｅは、駆動ローラ７２Ａのシャフト７２Ａｂを中心として揺動可能に設けられている。
【００４７】
そのために、用紙Ｐのフラップ７３Ｂ、７３Ｃ、７３Ｄ、７３Ｅへの突入抵抗を抑制して、排出ローラ対７２で形成される用紙Ｐの腰を維持したまま排出することができる。
【００４８】
一群のフラップ７３Ｂ、７３Ｃ、７３Ｄ、７３Ｅは、駆動ローラ７２Ａのシャフト７２Ａｂにスナップフィットされる円筒部７３Ｂａ、７３Ｃａ、７３Ｄａ、７３Ｅａと排出ローラ対７２を覆う板状のフラップ部７３Ｂｂ、７３Ｃｂ、７３Ｄｂ、７３Ｅｂとが一体で導電性材料を用いて形成されている。
そして、定着装置６０でトナー像が定着された用紙Ｐは、搬送ガイド７１ａ、７１ｂを通過して、排出ローラ対７２から、その上面がフラップ部７３Ｂｂ、７３Ｃｂ、７３Ｄｂ、７３Ｅｂと接触しながら排出され、スナップフィットされた駆動ローラ７２Ａのシャフト７２Ａｂを介して除電される。その結果、排出トレイ１ａ上で良好に積載される。
【００４９】
本実施形態では画像形成装置１は電子写真方式のカラープリンタとして説明しているが、複写機、ファクシミリ装置、複合機などの画像形成装置やインクジェット方式に代表される電子写真方式以外の画像形成装置、これら画像形成装置または他の用紙処理装置に接続して使用される排紙装置に適用することができる。
【符号の説明】
【００５０】
１、１００・・・画像形成装置
１ａ、１００ａ・・・排出トレイ
１ｂ・・・壁体（排出トレイ）
１０・・・制御装置
２０・・・給紙装置
３０・・・感光体ユニット
４０・・・現像装置
５０・・・転写装置
６０・・・定着装置
７０、７００・・・排紙装置
７１ａ、７１ｂ・・・搬送ガイド
７２、７２０・・・排出ローラ対
７２Ａ、７２１・・・駆動ローラ
７２Ａａ・・・個別ローラ
７２Ａｂ・・・シャフト
７２Ｂ・・・排紙ローラ
７２Ｂａ、７２２・・・ピンチローラ
７２Ｂｂ、７２３・・・コルゲーションローラ
７３・・・遮蔽カバー
７３Ａ・・・先端部カバー
７３Ｂ、７３Ｃ、７３Ｄ、７３Ｅ・・・フラップ
Ｐ・・・用紙
【図１】
2014077942.tif 000003
【図２】
2014077942.tif 000004
【図３】
2014077942.tif 000005
【図４】
2014077942.tif 000006
【図５】
2014077942.tif 000007
【図６】
2014077942.tif 000008
【図７】
2014077942.tif 000009
【図８】
2014077942.tif 000010